(57)【特許請求の範囲】
【請求項１】
樹脂成形品を成形するためのキャビティと、射出装置から射出された溶融樹脂を導く筒状空間からなるリングランナと、該リングランナの軸方向一端部と前記キャビティとを相互に連通する複数の細孔にて構成されて、該リングランナの周方向において互いに間隔を隔てて配置された複数のゲートとを含み、且つ該ゲートにおける前記キャビティ側の開口部の開口面積が、前記リングランナ側の開口部の開口面積よりも小さくされて、
前記リングランナにて導かれた前記溶融樹脂が、前記複数のゲートを通じて、かかるリングランナから前記キャビティ内に導入されるようになっていることを特徴とする射出成形型。
【請求項２】
樹脂成形品を成形するためのキャビティと、射出装置から射出された溶融樹脂を導く筒状空間からなるリングランナと、該リングランナの軸方向一端部と前記キャビティとを相互に連通する複数の細孔にて構成されて、該リングランナの周方向において互いに間隔を隔てて配置された複数のゲートとを含み、
且つ前記キャビティに達する貫通孔にコアピンを挿通配置せしめることによって、このコアピンの周囲に筒状空間が形成されて、前記リングランナが構成されると共に、該コアピンの先端側部位が該キャビティに対して突入せしめられて、その突入部分にて、該キャビティの一部が画成されてなり、
更にかかるコアピンの挿通配置によって、前記リングランナの軸方向一端部と前記キャビティとの間において、それらを相互に連通する環状乃至は筒状の連通孔が、該コアピンの周りに、該リングランナと同軸的に位置するように形成されると共に、該連通孔の軸直角方向において互いに対向する二つの内面部分のうちの何れか一方の内面部分から他方の内面部分に向かって突出して、該他方の内面部分に当接する複数の突出部が、該連通孔内に、該連通孔の周方向において互いに間隔を隔てて位置するように配設されていることにより、該複数の突出部の周方向に隣り合うものの間に、前記細孔がそれぞれ形成されて、それら複数の細孔にて、前記複数のゲートが、該コアピンの軸方向中間部で周方向に配列されて構成され、
前記リングランナにて導かれた前記溶融樹脂が、前記複数のゲートを通じて、かかるリングランナから前記キャビティ内に導入されるようになっていることを特徴とする射出成形型。
【請求項３】
前記ゲートにおける前記キャビティ側の開口部の開口面積が、前記リングランナ側の開口部の開口面積よりも小さくされている請求項２に記載の射出成形型。
【請求項４】
請求項１乃至請求項３のうちの何れか１項に記載の射出成形型を用いて、射出装置から溶融樹脂を射出すると共に、該溶融樹脂を前記リングランナと前記複数のゲートとを通じて、前記キャビティ内に充填する射出成形操作を行なうことを特徴とする樹脂成形品の製造方法。
【発明の詳細な説明】
【技術分野】
【０００１】
本発明は、射出成形型と樹脂成形品の製造方法とに係り、特に、筒部や深底の穴部を有する樹脂成形品を射出成形する際に好適に用いられる射出成形型の改良と、そのような樹脂成形品を射出成形によって有利に製造する方法とに関するものである。
【背景技術】
【０００２】
従来から、樹脂成形品の製造手法の一種として、射出成形手法が知られ、多くの種類の樹脂成形品の製造に利用されている。この射出成形手法を利用して、樹脂成形品を製造する際には、樹脂成形品を成形するためのキャビティ（成形キャビティ）と、射出装置から射出された溶融樹脂を導くランナと、ランナをキャビティに連通させるゲートとを備えた、所謂、射出成形型が用いられるが、かかる射出成形型に対するゲートの設定の仕方によって、最終的に得られる樹脂成形品の品質が大きく左右される。
【０００３】
すなわち、例えば、筒部や深底の穴部等を有する樹脂成形品の製造に際して、射出成形型に形成されるキャビティのうち、筒部や穴部の側壁部を与える筒状空間からなるキャビティ部分の周上の一箇所だけに、細孔状のゲートを設定した場合には、そのようなゲートを通じてキャビティ内に流入した溶融樹脂が、筒状空間からなるキャビティ部分内を周方向の両側方向に流動して、かかるキャビティ部分内で合流するようになる。このため、最終的に得られる樹脂成形品の筒部や穴部の側壁部において、溶融樹脂の流れが合流した部分にウェルドラインが発生して、外観不良が生ずることがあった。
【０００４】
かかる状況下、例えば、特開昭５９−１４３６２２号公報（特許文献１）等には、円筒状樹脂成形品を製造するのに使用される射出成形型の一種として、製造される円筒状樹脂成形品にウェルドラインを発生させないための工夫が施された射出成形型が、明らかにされている。この射出成形型は、溶融樹脂を導く筒状空間からなるリングランナを有し、このリングランナの軸方向一端部が、環状のリングゲートを通じて、円筒状空間からなるキャビティに連通して、構成されている。このような射出成形型にあっては、溶融樹脂が、リングランナ内を軸方向に流動し、リングゲートを通じて円筒状のキャビティ内に導入されて、かかるキャビティ内の全体を軸方向に流動するようになる。そして、それにより、溶融樹脂が、円筒状キャビティ内を周方向に流動して、キャビティ内で合流するようなことが有利に阻止され、その結果として、最終的に得られる樹脂成形品でのウェルドラインの発生が効果的に防止されるようになっているのである。
【０００５】
ところが、そのようなリングゲートを有する従来の射出成形型には、その構造よりして、以下の如き問題が内在していた。
【０００６】
すなわち、かかる従来の射出成形型では、目的とする樹脂成形品の成形時に、リングゲート内に残存する溶融樹脂が固化した固化物が、リングゲートに対応した環形状乃至は筒形状とされる。一方、細孔状のゲートを一つだけ有する射出成形型においては、かかるゲート内の固化物がピン形状とされる。このため、リングゲートを有する従来の射出成形型を用いて樹脂成形品を得る場合には、樹脂成形品の成形後の型開きにより、リングゲート内の固化物を切断して、リングランナ内に残存する溶融樹脂が固化した余分な固化物を樹脂成形品から切り離した際に、樹脂成形品に残る切断痕、所謂ゲートマークが、細孔状のゲートを有する射出成形型を用いる場合に比して大きくなり、しかも、見栄えの悪いものとなってしまう可能性があった。それ故、リングゲートを有する従来の射出成形型を用いる際には、樹脂成形品の成形後に、樹脂成形品に対して、ゲートマークを除去したり美麗にするための仕上げ加工を行う必要が生ずる場合があり、そうなった場合には、樹脂成形品を製造するのに余分な労力負担や経済負担が課せられることとなるのである。
【先行技術文献】
【特許文献】
【０００７】
【特許文献１】特開昭５９−１４３６２２号公報
【発明の概要】
【発明が解決しようとする課題】
【０００８】
ここにおいて、本発明は、上記した事情を背景にして為されたものであって、その解決課題とするところは、成形された樹脂成形品において、ウェルドラインの発生を効果的に防止することができるだけでなく、ゲートマークを仕上げ加工が必要でない程度に小さく且つ美麗に為すことができる射出成形型を提供することにある。また、本発明は、ウェルドラインの発生が効果的に防止され、しかも、ゲートマークが、仕上げ加工を必要としない程に小さく且つ美麗とされた樹脂成形品を有利に製造し得る方法を、提供することも、その解決課題とするものである。
【課題を解決するための手段】
【０００９】
そして、本発明は、かかる課題の解決のために、樹脂成形品を成形するためのキャビティと、射出装置から射出された溶融樹脂を導く筒状空間からなるリングランナと、該リングランナの軸方向一端部と前記キャビティとを相互に連通する複数の細孔にて構成されて、該リングランナの周方向において互いに間隔を隔てて配置された複数のゲートとを含み、且つ該ゲートにおける前記キャビティ側の開口部の開口面積が、前記リングランナ側の開口部の開口面積よりも小さくされて、前記リングランナにて導かれた前記溶融樹脂が、前記複数のゲートを通じて、かかるリングランナから前記キャビティ内に導入されるようになっていることを特徴とする射出成形型を、その要旨とするものである。
【００１０】
なお、本発明の好ましい態様の一つによれば、樹脂成形品を成形するためのキャビティと、射出装置から射出された溶融樹脂を導く筒状空間からなるリングランナと、該リングランナの軸方向一端部と前記キャビティとを相互に連通する複数の細孔にて構成されて、該リングランナの周方向において互いに間隔を隔てて配置された複数のゲートとを含み、且つ前記キャビティに達する貫通孔にコアピンを挿通配置せしめることによって、このコアピンの周囲に筒状空間が形成されて、前記リングランナが構成されると共に、該コアピンの先端側部位が該キャビティに対して突入せしめられて、その突入部分にて、該キャビティの一部が画成されてなり、更にかかるコアピンの挿通配置によって、前記リングランナの軸方向一端部と前記キャビティとの間において、それらを相互に連通する環状乃至は筒状の連通孔が、該コアピンの周りに、該リングランナと同軸的に位置するように形成されると共に、該連通孔の軸直角方向において互いに対向する二つの内面部分のうちの何れか一方の内面部分から他方の内面部分に向かって突出して、該他方の内面部分に当接する複数の突出部が、該連通孔内に、該連通孔の周方向において互いに間隔を隔てて位置するように配設されていることにより、該複数の突出部の周方向に隣り合うものの間に、前記細孔がそれぞれ形成されて、それら複数の細孔にて、前記複数のゲートが、該コアピンの軸方向中間部で周方向に配列されて構成され、前記リングランナにて導かれた前記溶融樹脂が、前記複数のゲートを通じて、かかるリングランナから前記キャビティ内に導入されるようになっている。
【００１１】
また、本発明の望ましい態様の一つによれば、前記ゲートにおける前記キャビティ側の開口部の開口面積が、前記リングランナ側の開口部の開口面積よりも小さくされる。
【００１２】
そして、本発明は、前記した特徴を有する射出成形型を用いて、射出装置から溶融樹脂を射出すると共に、該溶融樹脂を前記リングランナと前記複数のゲートとを通じて、前記キャビティ内に充填する射出成形操作を行なうことを特徴とする樹脂成形品の製造方法をも、また、その要旨とするものである。
【発明の効果】
【００１３】
すなわち、本発明に従う射出成形型によれば、筒状空間からなるリングランナ内を軸方向に流動した溶融樹脂が、リングランナの周方向に配置された複数のゲートを通じて、キャビティ内に一挙に導入されるようになる。それ故、かかるキャビティが、例えば筒形状を呈するものであっても、そのような筒状のキャビティの周上の一箇所から溶融樹脂が導入される場合とは異なって、溶融樹脂がキャビティ内で合流することが可及的に阻止され、その結果、最終的に得られる樹脂成形品でのウェルドラインの発生が効果的に防止され得る。
【００１４】
しかも、本発明に従う射出成形型にあっては、リングランナからキャビティ内に溶融樹脂を導入する複数のゲートが、リングランナの周方向において互いに間隔を隔てて配置された複数の細孔にて構成されている。このため、かかる射出成形型を用いて成形された樹脂成形品は、リングランナ内に残存する溶融樹脂が固化した固化物に対して、各ゲート内に残存する溶融樹脂が固化した、ピン形状を呈する複数の固化物を介して接続された状態となる。それ故、本発明に係る射出成形型を用いれば、例えば、ゲート内に環形状乃至は筒形状を呈する固化物が形成される、従来のリングゲートを有する射出成形型を用いる場合に比して、ランナ内やゲート内の余分な固化物を切断した後に樹脂成形品に残るゲートマークを、十分に小さく且つ美麗にできる。そして、それによって、そのようなゲートマークを除去したり美麗とするための仕上げ加工を、樹脂成形品の一連の製造工程から有利に省略することが可能となる。
【００１５】
従って、かくの如き本発明に従う射出成形型にあっては、成形した樹脂成形品において、ウェルドラインの発生を効果的に防止することができるだけでなく、ゲートマークを仕上げ加工が必要でない程度に小さく且つ美麗に為すことができる。そして、その結果として、目的とする樹脂成形品の生産性の向上と製造コストの低減とを、効果的に実現できるのである。
【００１６】
そして、本発明に従う樹脂成形品の製造方法にあっては、ウェルドラインの発生が効果的に防止され、しかも、ゲートマークが、仕上げ加工を必要としない程度に小さく且つ美麗とされた樹脂成形品を、極めて有利に得ることができる。そして、その結果として、目的とする樹脂成形品の生産性の向上と製造コストの低減とを、効果的に実現できるのである。
【図面の簡単な説明】
【００１７】
【図１】本発明に従う構造を有する射出成形型を用いて製造された樹脂成形品の一例を示す断面説明図である。
【図２】図１におけるII矢視説明図である。
【図３】本発明に従う構造を有する射出成形型の一実施形態を、型開き状態において示す断面説明図である。
【図４】図３に示された射出成形型を、型閉め状態において示す断面説明図である。
【図５】図４のＶ−Ｖ断面における部分拡大説明図である。
【図６】図４の部分拡大説明図である。
【図７】図６のVII−VII断面説明図である。
【図８】図３及び図４に示された射出成形型を用いて、図１に示された樹脂成形品を製造する際の一工程例を示す説明図である。
【図９】図８に示される工程に引き続いて実施される工程例を示す説明図である。
【図１０】本発明に従う構造を有する射出成形型の別の実施形態の型開き状態を示す、図３に対応する図である。
【図１１】図１０に示された射出成形型の型閉め状態を示す、図４に対応する図である。
【図１２】図１１に示された射出成形型のXII−XII断面における部分拡大説明図である。
【図１３】図１１の部分拡大説明図である。
【図１４】図１３のXIV−XIV断面説明図である。
【図１５】図１０及び図１１に示された射出成形型を用いて、図１に示された樹脂成形品を製造する際の一工程例を示す説明図である。
【図１６】図１５に示される工程に引き続いて実施される工程例を示す説明図である。
【発明を実施するための形態】
【００１８】
以下、本発明を更に具体的に明らかにするために、本発明の実施の形態について、図面を参照しつつ、詳細に説明する。
【００１９】
先ず、図１及び図２には、本発明に従う構造を有する射出成形型を用いて射出成形された樹脂成形品の一例が、その断面形態と上面形態において、それぞれ示されている。それら図１及び図２から明らかなように、樹脂成形品１０は、外側円筒部１２を有している。また、この外側円筒部１２の内周面の軸方向中間部には、円板状の仕切壁部１４が、外側円筒部１２の内孔内を軸方向に二つに仕切るように一体形成されている。更に、そのような円板状の仕切壁部１４の厚さ方向一方の面の中心部には、内側円筒部１６が、外側円筒部１２の軸方向一方側の開口部に向かって同軸的に延びるように、一体的に立設されている。この内側円筒部１６は、外側円筒部１２の内径よりも小さな外径と、外側円筒部１２の１／２の高さに満たない高さを有している。また、かかる内側円筒部１６の先端面には、その内周部に、複数（ここでは１２個）のゲートマーク（ゲート痕）１７が、周方向に等間隔を隔てて並んで配置された状態で形成されている。なお、以下からは、便宜上、樹脂成形品１０における仕切壁部１４の内側円筒部１６形成側を上側と言い、その反対側を下側ということとする。
【００２０】
そして、かくの如き構造とされた樹脂成形品１０は、本発明に従う構造を有する射出成形型を用いた射出成形を行うことによって、有利に製造されるのである。
【００２１】
図３及び図４には、樹脂成形品１０の製造に用いられる、本発明に従う構造を備えた射出成形型の一実施形態が、型開き状態での縦断面形態と、型閉め状態での断面形態とにおいて、それぞれ示されている。それら図３及び図４から明らかなように、本実施形態の射出成形型１８は、固定型２０と、この固定型２０に対して、その下方に対向配置された可動型２２とを有している。
【００２２】
より具体的には、固定型２０は、全体として、矩形ブロック形状を呈し、可動型２２との対向側とは反対側の上面において、固定型側取付板２４を介して、位置固定の固定盤２６に取り付けられている。これにより、固定型２０が、可動型２２の上方において、固定的に配置されている。
【００２３】
また、固定型２０の可動型２２との対向面たる下面の中心部には、キャビティ形成凹所２８が設けられている。このキャビティ形成凹所２８の底面の中心部には、円柱状突起３０が、キャビティ形成凹所２８の深さの半分に満たない高さを有して、一体的に突設されている。また、かかる円柱状突起３０の中心部にも、高さの低い円柱状の中心突起３２が一体形成されており、更に、この中心突起３２の周りには、円柱状突起３０の先端面、つまり、固定型２０の下面において開口する環状凹所３４が設けられている。
【００２４】
そして、そのようなキャビティ形成凹所２８の内周面形状が、樹脂成形品１０における外側円筒部１２の外周面に対応した円筒形状とされている一方、円柱状突起３０の外周面の形状と先端面の形状とが、外側円筒部１２の仕切壁部１４よりも上側に位置する内周面部分に対応した円筒形状と、仕切壁部１４の上面に対応した円環面形状とされている。また、環状凹所３４の形状が、樹脂成形品１０の内側円筒部１６に対応した円筒形状とされている。かくして、環状凹所３４を含むキャビティ形成凹所２８の内面形状が、目的とする樹脂成形品１０全体の外周面形状と、かかる樹脂成形品１０のうちの仕切壁部１４よりも上側の内側形状に対応した形状とされているのである。
【００２５】
一方、可動型２２は、全体として、固定型２０と同様な矩形ブロック形状を呈し、固定型２０との対向側とは反対側の下面において、可動型側取付板３６を介して可動盤３８に取り付けられている。この可動盤３８は、その下面に、図示しない型締装置が有する油圧シリンダのラム（図示せず）が取り付けられており、かかるラムの突出乃至引込作動によって、上下方向に移動可能とされている。そして、そのような可動盤３８の上下動に伴って、可動型２２が、上方に固定的に配置された固定型２０に対して接近乃至離隔移動し、それにより、可動型２２と固定型２０の型閉じと型開きが行われるようになっている。また、可動型２２と固定型２０との型開き時には、公知の構造により、固定型２０と固定型側取付板２４とが、上下方向に分離させられるように構成されている。
【００２６】
可動型２２の固定型２０との対向面たる上面の中心部には、キャビティ形成突起４０が一体形成されている。このキャビティ形成突起４０は、目的とする樹脂成形品１０における仕切壁部１４の下面と対応した円形状の先端面と、外側円筒部１２の仕切壁部１４よりも下側に位置する内周面部分に対応した円筒状の外周面とを有している。かくして、キャビティ形成突起４０の外面形状が、樹脂成形品１０（外側円筒部１２）のうちの仕切壁部１４よりも下側の内側形状に対応した形状とされている。
【００２７】
そして、図４に示されるように、可動型２２と固定型２０とが型閉じされたときに、可動型２２のキャビティ形成突起４０が、固定型２０のキャビティ形成凹所２８内に突入配置されるようになっている。それによって、可動型２２と固定型２０との型閉じ状態下で、それら可動型２２と固定型２０との間に、目的とする樹脂成形品１０に対応した形状を有する成形キャビティ４２が、形成されるようになっているのである。
【００２８】
また、かかる射出成形型１８においては、固定盤２６と固定型側取付板２４の長さ方向の一端側部分（図４の左側部分）に、それらを厚さ方向に貫通する挿通孔４４が設けられている。そして、かかる挿通孔４４内に、スプルーブッシュ４６が挿通配置されている。このスプルーブッシュ４６は、その軸方向の一端面が、射出装置のノズル４８の先端面の当接面たるノズルタッチ面５０とされている。また、そのようなスプルーブッシュ４６には、軸方向に貫通して延びるスプルー５２が設けられている。このスプルー５２は、スプルーブッシュ４６のノズルタッチ面５０の中心部において開口しており、それによって、ノズルタッチ面５０に当接配置されるノズル４８のノズル孔（図示せず）に連通可能とされている。
【００２９】
一方、固定型２０には、ノズル４８から射出されて、スプルー５２内を流通する溶融樹脂を、前記成形キャビティ４２内に導くランナ５４が設けられている。そして、ここでは、かかるランナ５４が、スプルー５２に連通して、水平方向に真っ直ぐに延びるストレートランナ部５６と、このストレートランナ部５６に連通して、上下方向に延びる筒状空間からなるリングランナ部５８とにて構成されている。
【００３０】
より詳細には、本実施形態の射出成形型１８においては、固定型２０の中心部に、固定型側取付板２４と重なり合う上面において開口する中心穴６０が、設けられている。この中心穴６０は、全体として、細長い円筒形状を呈し、固定型２０の下面の中心部（円柱状突起３０の先端面の中心部）に設けられた環状凹所３４の中心側の内周面部分の径よりも大きく、且つかかる環状凹所３４の中心側の内周面部分と径方向に対向位置する内周面部分の径よりも小さな径と、環状凹所３４の底面の近傍に底面を位置させ得る深さとを有している。
【００３１】
また、図４に示されるように、固定型側取付板２４の中心部と固定盤２６の中心部には、それらを厚さ方向に貫通する貫通孔６２が形成されている。この貫通孔６２は、固定型２０に設けられた中心穴６０の内径よりも所定寸法だけ小さな径の円筒状の内周面を有し、かかる中心穴６０と連通して、同軸的に位置している。
【００３２】
そして、それら同軸的に位置する貫通孔６２と中心穴６０内には、コアピン６４が、上下方向に延びるように挿通配置されている。このコアピン６４は、貫通孔６２と中心穴６０のそれぞれの延出長さの合計値よりも僅かに短い軸方向長さを有する金属製の丸棒材からなっている。
【００３３】
また、かかるコアピン６４においては、貫通孔６２内に挿通配置される上側部分の外径が、貫通孔６２の内径と略同一の大きさとされている一方、中心穴６０内に挿通配置される下側部分の外径が、中心穴６０の内径よりも一周り小さな大きさとされている。これにより、コアピン６４の上側部分の外周面と貫通孔６２の内周面とが、互いに密接状態とされている。また、コアピン６４の下側部分の外周面と中心穴６０の内周面との間には、上下方向に延びる円筒状空間が形成されている。
【００３４】
かくして、本実施形態の射出成形型１８では、中心穴６０内に、リングランナ部５８が、コアピン６４の下側部分の外周面と中心穴６０の内周面との間に設けられた円筒状空間によって形成されている。そして、このリングランナ部５８は、上記のように、コアピン６４の貫通孔６２への挿通部分の外周面と貫通孔６２の内周面とが密接状態とされていることで、貫通孔６２内に対して非連通とされている。
【００３５】
なお、ここでは、コアピン６４の先端面と中心穴６０の底面との間に、リングランナ部５８と連通する円板状空間からなる隙間が形成されている。また、コアピン６４の上端側部に、上端部を、それ以外の部分よりも大径化する段部６６が設けられ、この段部６６が、貫通孔６２の内周面に設けられた円環面状の係合面６８に対して上下方向において係合している。これにより、コアピン６４の貫通孔６２内及び中心穴６０内への挿通位置が、位置決めされている。
【００３６】
また、図４及び図５に示されるように、固定型２０の上面には、断面矩形状の溝部７０が、固定型２０におけるスプルーブッシュ４６のスプルー５２との対応位置と中心穴６０との間に、水平方向に真っ直ぐに延びるように形成されている。この溝部７０は、固定型２０の上面において開口する開口部が、固定型側取付板２４にて覆蓋されている。これにより、固定型２０に対して、ストレートランナ部５６が、固体型側取付板２４にて覆蓋されて水平方向に延びる溝部７０の内側空間によって、形成されている。
【００３７】
そして、そのようなストレートランナ部５６が、延出方向の一端部において、スプルーブッシュ４６のスプルー５２に連通している。また、その他端部が、中心穴６０内に向かって開口する接続口７２とされて、ストレートランナ部５６が、かかる接続口７２により、中心穴６０、更には、中心穴６０内に形成されるリングランナ部５８に連通するように、接続されている。
【００３８】
かくして、本実施形態の射出成形型１８では、射出装置のノズル４８から射出されて、スプルー５２内を流通する溶融樹脂が、ストレートランナ部５６内に導入され、また、かかるストレートランナ部５６内を流通して、固定型２０の中心部に向かって水平方向に導かれるようになっている。更に、ストレートランナ部５６内を流通する溶融樹脂が、接続口７２を通じて、リングランナ部５８内に導入されて、リングランナ部５８内を下方に向かって流動させられるようになっているのである。
【００３９】
そして、図６及び図７に示されるように、本実施形態の射出成形型１８においては、リングランナ部５８を、その下端側部分において、成形キャビティ４２に連通するゲート７４が、固定型２０に対して複数個（ここでは、１２個）設けられている。
【００４０】
より具体的には、固定型２０の中心部には、前記中心穴６０内と前記環状凹所３４内とを相互に連通する連通孔７６が、上下方向に延びるように、複数個（ここでは、１２個）形成されている。この連通孔７６は、中心穴６０や貫通孔６２よりも十分に内径の小さな細孔からなっている。また、かかる連通孔７６にあっては、下方に向かうに従って次第に小径化するテーパ状の内周面を有すると共に、中心穴６０の底面において開口する大径の上側開口部と、環状凹所３４の底面において開口する小径の下側開口部を有して、構成されている。
【００４１】
そして、ここでは、そのような連通孔７６にて、ゲート７４が構成されており、また、かかるゲート７４の複数個が、中心穴６０と環状凹所３４との間において、それら中心穴６０と環状凹所３４の周方向に一定の間隔を隔てて並んで配置されている。更に、それら複数のゲート７４の軸方向両側の開口部のうち、中心穴６０の底面において開口する上側開口部（軸方向一端側の開口部）が、中心穴６０の底面の外周部にそれぞれ配置されている一方、環状凹所３４の底面において開口する複数のゲート７４の下側開口部（軸方向他端側の開口部）が、環状凹所３４の底面の内周部にそれぞれ配置されている。
【００４２】
かくして、本実施形態の射出成形型１８においては、中心穴６０内の外周側に設けられたリングランナ部５８と、環状凹所３４を含んで形成された成形キャビティ４２とが、複数のゲート７４にて相互に連通している。そして、それにより、リングランナ部５８内を下方に向かって流動する溶融樹脂が、複数のゲート７４を通じて、成形キャビティ４２内に導入されるようになっているのである。また、ここでは、それら各ゲート７４が、下方に向かって次第に小径化するテーパ状内周面を有していることにより、各ゲート７４の成形キャビティ４２内に開口する下側開口部の開口面積が、リングランナ部５８内に開口する上側開口部の開口面積よりも小さくされている。
【００４３】
そして、かくの如き構造とされた射出成形型１８を用いて、目的とする樹脂成形品１０を製造する際には、その作業が、例えば、以下の手順に従って進められる。
【００４４】
すなわち、先ず、図４に示されるように、射出成形型１８の可動型２２と固定型２０とを型閉じして、それら可動型２２と固定型２０との間に、成形キャビティ４２を形成する。
【００４５】
次いで、図８に示されるように、射出装置（図示せず）から射出された溶融樹脂７８を、ノズル４８からスプルー５２内に流入させ、更に、ストレートランナ部５６内に流入させる。そして、かかる溶融樹脂７８を、ストレートランナ部５６内とリングランナ部５８内とを流通させた後、複数のゲート７４を通じて、成形キャビティ４２内に流入させて、成形キャビティ４２内を溶融樹脂７８にて充填する。
【００４６】
このとき、溶融樹脂７８は、成形キャビティ４２のうち、目的とする樹脂成形品１０の内側円筒部１６の上端面を形成する部分の内周部の全周から、かかる内側円筒部１６を形成する成形キャビティ４２部分内に流入する。そして、かかる成形キャビティ４２部分内を、内側円筒部１６の軸方向に流動した後、円環板状の仕切壁部１４を形成する成形キャビティ４２部分内を、その中心部側から外周部側に向かって流動する。その後、外側円筒部１２を形成する成形キャビティ４２部分内に流入して、かかる成形キャビティ４２部分内を、軸方向に流動するようになる。それ故、成形キャビティ４２内に、溶融樹脂７８の合流箇所が生ずることが有利に回避され得る。
【００４７】
そして、図９に示されるように、成形キャビティ４２内に充填された溶融樹脂７８を冷却し、固化させた後、可動型２２と固定型２０とを型開きする。このとき、成形キャビティ４２内の溶融樹脂７８が固化してなる樹脂成形品１０が、可動型２２のキャビティ形成突起４０にて保持される。これにより、樹脂成形品１０を固定型２０から離型させる。
【００４８】
また、そのような可動型２２と固定型２０の型開きによる樹脂成形品１０の固定型２０からの離型時には、複数のゲート７４とランナ５４（ストレートランナ部５６とリングランナ部５８）とスプルー５２内にそれぞれ残存する溶融樹脂７８が固化した固化物７９が、細孔からなる各ゲート７４の下側開口部内に位置する固化物７９部分において切断されて、樹脂成形品１０から切り離される。
【００４９】
なお、前記したように、各ゲート７４の下側開口部は、上側開口部よりも小さな開口面積を有している。そのため、そのような各ゲート７４の下側開口部内に位置する固化物７９部分は、固化物７９全体のうちで最も断面積が小さくされており、また、それによって、固化物７９全体のうちで最も脆弱な部分（最も引張強度の低い部分）とされている。しかも、かかる固化物７９部分は、複数のゲート７４の配置位置に対応して、樹脂成形品１０における内側円筒部１６の上面の内周部に、その周方向において互いに等間隔を隔てて均等配置されている。
【００５０】
このため、可動対２２と固定型２０の型開き時には、固化物７９が、樹脂成形品１０から、より容易に切断されるようになる。また、それによって、固化物７９が切り離された樹脂成形品１０における内側円筒部１６の上端面の内周部に不可避的に形成される、固化物８２が切り離された痕からなる複数（ここでは１２個）のゲートマーク１７（図２参照）が、例えば、従来のリングゲートを有する射出成形型を用いたときに生ずるゲートマークよりも十分に小さくされて、より目立ち難く、しかも美麗とされる。
【００５１】
そして、可動型２２と固定型２０とが型開きしたら、可動型２２に設けられたエジェクタピンを有するエジェクタ機構等（図示せず）により、樹脂成形品１０を、可動型２２から突き出して、離型させる。かくして、図１及び図２に示される如き構造を有する、目的とする樹脂成形品１０を得るのである。なお、図示されてはいないものの、可動型２２と固定型２０の型開き時には、公知の構造により、固定型２０が固定型側取付板２４から分離されて、その状態下で、複数のゲート７４とランナ５４とスプルー５２内で固化した余分な固化物７９が、図示しないエジェクタ機構等により、固定型２０やスプルーブッシュ４６内から離脱させられることとなる。
【００５２】
以上の説明から明らかなように、本実施形態の射出成形型１８を用いれば、溶融樹脂７８が流入し、流動する成形キャビティ４２内で、溶融樹脂７８の合流箇所が生ずることが有利に解消される。そして、それによって、ウェルドラインのない、良好な外観を有する樹脂成形品１０を、より一層確実に製造することが可能となるのである。
【００５３】
しかも、本実施形態の射出成形型１８を用いれば、成形された樹脂成形品１０に不可避的に残るゲートマーク１７を十分に小さくして、目立ち難く且つ美麗とすることができる。そして、それにより、ゲートマーク１７痕を樹脂成形品から除去するための仕上げ加工を樹脂成形品１０の一連の製造工程から有利に省略することが可能となり、その結果として、樹脂成形品１０の生産性の向上と製造コストの低減とが、効果的に実現され得ることとなるのである。
【００５４】
また、本実施形態の射出成形型１８では、リングランナ部５８が円筒状空間にて構成されて、複数のゲート７４と連通する下端部とは反対側の上端部において、ストレートランナ部５６と接続口７２を通じて接続されている。それ故、例えば、リングランナ部５８が円環形状とされる場合とは異なって、接続口７２から流入する溶融樹脂７８が、リングランナ部５８の全体に十分に行き渡ってから、リングランナ部５８内の溶融樹脂７８が、複数のゲート７４を通じて、成形キャビティ４２内に導入される。これによって、リングランナ部５８内から複数のゲート７４を通じて成形キャビティ４２内に導入される溶融樹脂７８の導入量が、各ゲート７４毎に略均一な量とされ、これによっても、樹脂成形品１０でのウェルドラインの発生が、効果的に防止され得る。また、リングランナ部５８が円筒状空間にて構成されていることにより、円環形状とされる場合に比して、リングランナ部５８の構造的な強度が増す。また、リングランナ部５８が、円環形状とされる場合に比べて、リングランナ部５８内に位置する固化物７９部分の体積が大きくなるため、かかる固化物７９部分の体積収縮量も増大して、そのような固化物７９部分が、中心穴６０の内周面から確実に剥離するようになる。それにより、固化物７９が固定型２０から離脱させられる際に、リングランナ部５８内に、固化物７９の一部が残留することが有利に防止される。そして、その結果、リングランナ部５８内の固化物７９の一部の残留により、次回の射出成形時におけるリングランナ部５８内での溶融樹脂７８のスムーズな流動が阻害されて、成形不良が生ずるようなことが、極めて効果的に防止され得ることとなる。
【００５５】
さらに、本実施形態の射出成形型１８を用いて成形された樹脂成形品１０は、例えば、ＡＢＳ制御（アンチスキッド制御）を行なう車両用ブレーキ装置に用いられる調圧リザーバ内のピストンヘッド等として、有利に利用される。そして、そのように、本実施形態の射出成形型１８を用いて成形された樹脂成形品１０を使用することによって、調圧リザーバ、ひいてはブレーキ装置の軽量化と低コスト化とが、これまでの金属製ピストンヘッドを用いていたものに比して、極めて効果的に達成され得るのである。
【００５６】
次に、図１０及び図１１には、樹脂成形品１０の製造に用いられる、本発明に従う構造を備えた射出成形型の別の実施形態が、型開き状態での縦断面形態と、型閉め状態での断面形態とにおいて、それぞれ示されている。それら図１０及び図１１から明らかなように、本実施形態の射出成形型８０は、固定型２０と可動型２２とを備えた、前記第一の実施形態に係る射出成形型１８と同様な基本構造を有している。そして、かかる射出成形型８０においては、リングランナ部５８と複数のゲート７４とが、前記第一の実施形態に係る射出成形型１８とは異なる構造をもって設けられているのである。なお、本実施形態の射出成形型８０に関しては、前記第一の実施形態に係る射出成形型１８と同様な構造とされた部材及び部位について、図３乃至図７と同一の符号を付すことにより、その詳細な説明を省略する。
【００５７】
すなわち、本実施形態の射出成形型８０にあっては、固定型２０の中心部に、第一貫通孔８２が設けられている。この第一貫通孔８２は、上部側が下部側よりも大径とされた段付円筒状の内周面を有している。これにより、第一貫通孔８２の上側部分が、固定型２０の上面において開口する大径孔部８４とされている一方、その下側部分が、キャビティ形成凹所２８内に向かって開口する小径孔部８６とされている。そして、かかる小径孔部８６が、成形キャビティ４２の一部、具体的には、樹脂成形品１０の内側円筒部１６を与える成形キャビティ４２部分を構成している。かくして、大径孔部８４の下側（小径孔部８６側）の開口部が、成形キャビティ４２内に連通している。
【００５８】
また、第一貫通孔８２の大径孔部８４内には、リングランナ部形成用ブッシュ８８が、その外周面を、大径孔部８４の内周面に密接させて、上下方向に延びるように挿入配置されている。このリングランナ部形成用ブッシュ８８は、大径孔部８４の延出長さと略同一の高さを有している。また、かかるリングランナ部形成用ブッシュ８８にあっては、その内孔９０の内周面９１が、下方に向かうに従って次第に小径となるテーパ面形状とされて、小径の下側開口部の径が、第一貫通孔８２の小径孔部８６の径よりも所定寸法小さくされている。更に、リングランナ部形成用ブッシュ８８の上端面には、その周上の一箇所に、内孔９０を側方に向かって開口させる切欠部９２が設けられている。
【００５９】
一方、固定型２０の上面（固定型側取付板２４との重合せ面）には、溝部７０が、水平方向に延びるように設けられている。また、この溝部７０は、延出方向一端部において、スプルーブッシュ４６のスプルー５２に連通している一方、延出方向他端部において、接続口７２を通じて、第一貫通孔８２に連通している。そして、固定型２０と固定型側取付板２４とが重ね合わされて配置されていることにより、溝部７０が、固定型側取付板２４にて覆蓋され、以て、そのような溝部７０にて、ストレートランナ部５６が構成されているのである。
【００６０】
また、第一貫通孔８２の大径孔部８４内に挿入されたリングランナ部形成用ブッシュ８８は、切欠部９２を、ストレートランナ部５６（溝部７０）の接続口７２に連通させた状態で配置されている。更に、リングランナ部形成用ブッシュ８８は、その下端面を、第一貫通孔８２の内周面の軸方向中間部に配置された、大径孔部８４と小径孔部８６とを段付けする段付け面に接触させる一方、上端面を固定型側取付板２４に接触させて、配置されている。これにより、リングランナ部形成用ブッシュ８８の内孔９０が、固定型側取付板２４による上側開口部の閉塞状態下で、切欠部９２と接続口７２を通じて、ストレートランナ部５６に連通していると共に、下側開口部を通じて、成形キャビティ４２内に連通している。
【００６１】
また、固定型側取付板２４の中心部と固定盤２６の中心部には、それらを厚さ方向に貫通する第二貫通孔９４が形成されている。この第二貫通孔９４は、第一貫通孔８２の大径孔部８４内に挿入されたリングランナ部形成用ブッシュ８８の大径の上側開口部の径よりも所定寸法だけ小さな径の円筒状の内周面を有し、リングランナ部形成用ブッシュ８８の内孔９０と連通して、同軸的に位置している。かくして、第二貫通孔９４とリングランナ部形成用ブッシュ８８の内孔９０とが、固定盤２６と固定型側取付板２４と固定型２０の中心部を貫通して、上下方向に延びるように配置されている。そして、それにより、固定盤２６と固定型側取付板２４と固定型２０とを跨って、それらの中心部を貫通して延びる中心孔９６が、第二貫通孔９４とリングランナ部形成用ブッシュ８８の内孔９０とにて形成されている。
【００６２】
そのような中心孔９６内には、コアピン９８が、上下方向に延びるように挿通配置されている。このコアピン９８は、中心孔９６の延出長さよりも僅かに長い長さを有する金属製の丸棒材からなっている。また、かかるコアピン９８は、その上側部分が、大径の円柱形状を呈する基端大径部１００とされている一方、下側部分が、基端大径部１００よりも十分に小さな径を有する小径の円柱形状を呈する先端小径部１０２とされ、更に、それら先端小径部１０２と基端大径部１００の間に位置する中間部分が、下方に向かって次第に小径となるテーパ形状を呈する中間テーパ部１０４とされている。また、かかる中間テーパ部１０４は、そのテーパ角度が、リングランナ部形成用ブッシュ８８の内孔９０におけるテーパ筒状の内周面９１のテーパ角度と略同一の大きさとされている一方、小径側の外径と、大径側の外径とが、リングランナ部形成用ブッシュ８８の内孔９０におけるテーパ筒状内周面９１の小径の下側開口部の内径と、大径の上側開口部の内径よりも、それぞれ、所定寸法だけ小さくされている。
【００６３】
そして、そのようなコアピン９８の中心孔９６内への挿通状態下で、コアピン９８の基端大径部１００が、第二貫通孔９４内に、外周面を第二貫通孔９４の内周面に密接させて配置されている。また、コアピン９８の中間テーパ部１０４が、リングランナ部形成用ブッシュ８８の内孔９０内に、外周面１０６を、リングランナ部形成用ブッシュ８８の内周面９１に対して、所定の距離だけ離間させた状態で、同軸的に配置されている。更に、コアピン９８の先端小径部１０２が、第一貫通孔８２の小径孔部８６内に、外周面を、小径孔部８６の内周面に対して、所定の距離だけ離間させた状態で、同軸的に配置されている。
【００６４】
なお、ここでは、コアピン９８の先端小径部１０２の下端が、第一貫通孔８２の小径孔部８６内に突入していることで、成形キャビティ４２内に突入配置されている。また、コアピン９８における基端大径部１００の軸方向中間部の外周面に、基端大径部１００の上端側部分を下端側部分よりも大径化する段部６６が設けられ、この段部６６が、第二貫通孔９４の内周面に設けられた円環面状の係合面６８に対して上下方向において係合している。これにより、コアピン９８の中心孔９６内への挿通位置が、位置決めされている。
【００６５】
かくして、図１０乃至図１２に示されるように、本実施形態の射出成形型８０では、コアピン９８の中間テーパ部１０４の外周面１０６と、リングランナ部形成用ブッシュ８８の内周面９１との間に、上下方向に延び、且つ下方に向かうに従って次第に小径となるテーパ筒状空間が形成されている。また、このテーパ筒状空間が、その上部において、前記切欠部９２と前記接続口７２とを通じて、ストレートランナ部５６に連通している一方、小径の下側開口部において、成形キャビティ４２に連通している。これにより、そのような上下方向に延びるテーパ筒状空間のうちの下端側部分を除く部分が、ストレートランナ部５６と成形キャビティ４２に連通し、ストレートランナ部５６内を流通する溶融樹脂を受け入れて、下方に位置する成形キャビティ４２側に導くリングランナ部５８として、構成されているのである。
【００６６】
そして、図１３及び図１４に示されるように、本実施形態の射出成形型８０においては、コアピン９８の中間テーパ部１０４の外周面１０６と、リングランナ部形成用ブッシュ８８の内周面９１との間に形成されたテーパ筒状空間のうち、リングランナ部５８を構成する部分を除く下端側部分が、リングランナ部５８と成形キャビティ４２とを相互に連通させる筒状の連通孔とされている。また、そのようなテーパ筒状空間の下端側部分を形成する中間テーパ部１０４の外周面１０６の下端部とリングランナ部形成用ブッシュ８８の内周面９１の下端部のうち、リングランナ部形成用ブッシュ８８の内周面９１の下端部には、複数（ここでは、１６個）の突出部１０８が、一体形成されている。
【００６７】
それら複数の突出部１０８は、何れも、比較的に薄肉の平板形状を呈し、リングランナ部形成用ブッシュ８８の内周面９１の周方向において互いに等間隔を隔てて配置されている。つまり、複数の突出部１０８が、コアピン９８の中間テーパ部１０４の外周面１０６と、リングランナ部形成用ブッシュ８８の内周面９１との間に形成されたテーパ筒状空間のうち、リングランナ部５８を構成する部分を除く下端側部分内に、放射状に延びるように配置されている。また、それら各突出部１０８は、リングランナ部形成用ブッシュ８８の内周面９１からの突出高さが、リングランナ部形成用ブッシュ８８の内周面９１の下端部と中間テーパ部１０４の外周面１０６の下端部との間の距離と同一の寸法とされている。これにより、複数の突出部１０８の全てが、その先端面において、中間テーパ部１０４の外周面１０６の下端部に当接している。かくして、リングランナ部形成用ブッシュ８８の内周面９１の周方向に隣り合う突出部１０８，１０８の間に、リングランナ部５８と成形キャビティ４２とを連通させるゲート７４が、それぞれ一つずつ形成されている。これら複数（ここでは、１６個）のゲート７４は、何れも、リングランナ部形成用ブッシュ８８の内孔９０よりも十分に内径の小さな細孔にて構成されている。
【００６８】
そして、かくの如き構造を有する射出成形型８０を用いて、目的とする樹脂成形品１０を製造する際には、その作業が、例えば、以下の手順に従って進められる。
【００６９】
すなわち、先ず、図１１に示されるように、射出成形型８０の可動型２２と固定型２０とを型閉じして、それら可動型２２と固定型２０との間に、成形キャビティ４２を形成する。
【００７０】
次いで、図１５に示されるように、射出装置（図示せず）から射出された溶融樹脂７８を、ノズル４８からスプルー５２内に流入させ、更に、ストレートランナ部５６内に流入させる。そして、かかる溶融樹脂７８を、ストレートランナ部５６内とリングランナ部５８内とを流通させた後、複数のゲート７４を通じて、成形キャビティ４２内に流入させて、成形キャビティ４２内を溶融樹脂７８にて充填する。
【００７１】
このとき、前記第一の実施形態に係る射出成形型１８を用いて射出成形操作を実施する場合と同様に、溶融樹脂７８が、成形キャビティ４２のうち、内側円筒部１６を与える成形キャビティ４２部分内を軸方向に流動した後、円環板状の仕切壁部１４を与える成形キャビティ４２部分内を、その中心部側から外周部側に向かって流動し、その後、外側円筒部１２を形成する成形キャビティ４２部分内を軸方向に流動する。これによって、成形キャビティ４２内に、溶融樹脂７８の合流箇所が生ずることが有利に回避される。
【００７２】
そして、図１６に示されるように、成形キャビティ４２内に充填された溶融樹脂７８を冷却し、固化させた後、可動型２２と固定型２０とを型開きする。これによって、成形キャビティ４２内で溶融樹脂７８が固化してなる樹脂成形品１０を、可動型２２のキャビティ形成突起４０にて保持された状態で、固定型２０から離型させる。
【００７３】
このとき、前記第一の実施形態に係る射出成形型１８を用いて射出成形操作を実施する場合と同様に、複数のゲート７４とランナ５４（ストレートランナ部５６とリングランナ部５８）とスプルー５２内にそれぞれ残存する溶融樹脂７８が固化した固化物７９が、かかる固化物７９のうちで最も脆弱な部分（最も引張強度の低い部分）である各ゲート７４の下側開口部内に位置する固化物７９部分において、樹脂成形品１０から切断される。このため、余分な固化物７９が、樹脂成形品１０から容易に切り離されると共に、樹脂成形品における内側円筒部１６の上端面の内周部に残る固化物７９の複数のゲートマーク１７が、十分に小さくされて、目立ち難く、しかも美麗とされる。
【００７４】
そして、可動型２２と固定型２０とが型開きしたら、前記第一の実施形態に係る射出成形型１８を用いて射出成形操作を実施する場合と同様に、樹脂成形品１０が、可動型２２から離型させられると共に、複数のゲート７４とランナ５４とスプルー５２内に位置する余分な固化物７９も、固定型２０やスプルーブッシュ４６内から離脱させられる。かくして、図１及び図２に示される如き構造を有する、目的とする樹脂成形品１０を得るのである。
【００７５】
以上の説明から明らかなように、本実施形態の射出成形型８０を用いる場合にあっても、前記第一の実施形態に係る射出成形型１８を用いる場合と同様に、溶融樹脂７８の合流箇所が成形キャビティ４２内に生ずることが有利に解消されると共に、樹脂成形品１０に残るゲートマーク１７を十分に小さく且つ美麗と為すことができる。そして、それによって、仕上げ加工を行うことなしに、ウェルドラインのない、良好な外観を有する樹脂成形品１０を、より生産性良く、しかも可及的に低コストに製造することが可能となる。
【００７６】
また、本実施形態の射出成形型８０においては、固定型２０に嵌め込まれたリングランナ部形成用ブッシュ８８の内周面９１の下端部に、コアピン９８の外周面１０６の下端部に当接する複数の突出部を、周方向に間隔を隔てて設けることによって、細孔からなる複数のゲート７４が形成されている。それ故、かかる射出成形型８０にあっては、各ゲート７４が固定型２０に穿設された細孔からなる射出成形型に比して、固定型２０や可動型２２の強度が十分に高められ得ると共に、それらのメンテナンス性の向上が有利に図られ得る。そして、それによって、射出成形型８０の運用性、ひいては目的とする樹脂成形品１０の生産性の更なる向上が、効果的に実現され得るのである。
【００７７】
以上、本発明の具体的な構成について詳述してきたが、これはあくまでも例示に過ぎないのであって、本発明は、上記の記載によって、何等の制約をも受けるものではない。
【００７８】
例えば、前記第一の実施形態に係る射出成形型１８において複数のゲート７４を構成する連通孔７６の形成個数や形状、大きさ、或いは前記第一の実施形態に係る射出成形型１８において複数のゲート７４の形成のために設けられる突出部１０８の形成個数や形状、大きさ等は、適宜に変更可能であることは言うまでもないところである。
【００７９】
また、前記第一の実施形態に係る射出成形型１８では、リングランナ部５８が円筒状空間からなる一方、前記第二の実施形態に係る射出成形型８８では、リングランナ部５８がテーパ筒状空間にて構成されていた。しかしながら、リングランナ部５８は、筒状空間にて構成されておれば良い。従って、リングランナ部５８の形状は、複数のゲート７４の形成構造とは関係無く、適宜に設定されるものである。
【００８０】
さらに、前記第二の実施形態では、複数の突出部１０８が、リングランナ部形成用ブッシュ８８の内周面９１の下端部に一体形成されることにより、細孔からなる複数のゲート７４が、リングランナ部５８と成形キャビティ４２とを連通するように設けられていた。しかしながら、複数のゲート７４を形成するための複数の突出部１０８は、リングランナ部形成用ブッシュ８８の内周面９１の下端部に代えて、或いはそれに加えて、コアピン９８の外周面１０６の下端部に一体形成しても良い。また、複数の突出部１０８を、リングランナ部形成用ブッシュ８８及びコアピン９８とは別個の部材にて構成することもできる。この場合には、例えば、リングランナ部形成用ブッシュ８８やコアピン９８とは別体のリング部の外周面や内周面に突出部１０８が設けられて、かかるリング部が、リングランナ部形成用ブッシュ８８の下端部に内挿されるか、又はコアピン９８の下端部に外挿されることで、突出部１０８が、リングランナ部５８と成形キャビティ４２の間に配置されて、それらの間に、複数のゲート７４が形成されることとなる。この場合には、リングランナ部形成用ブッシュ８８の内周面９１の下端部とコアピン９８の外周面１０６の下端部との間、つまり、リング部が配置されるべき環状乃至は筒状空間にて、リングランナ部５８と成形キャビティ４２とを相互に連通する連通孔が構成される。
【００８１】
なお、リングランナ部形成用ブッシュ８８は省略可能である。それ故、リングランナ部形成用ブッシュ８８を省略する場合には、例えば、コアピン９８が挿通配置される貫通孔の内周面に対して、複数の突出部１０８が設けられることで、複数のゲート７４が形成されることとなる。
【００８２】
加えて、前記実施形態では、本発明を、円筒部を有する樹脂成形品の製造に用いられる射出成形型と、かかる樹脂成形品の製造方法に適用したものの具体例を示したが、本発明は、例えば、深底の穴部を有する形状を初めとした各種の形状を呈する樹脂成形品の製造に用いられる射出成形型と、かかる樹脂成形品の製造方法にも、有利に適用可能であることは、勿論である。
【００８３】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００８４】
１０  樹脂成形品                      １７  ゲートマーク
１８，８８  射出成形型                ２０  固定型
２２  可動型                          ４２  成形キャビティ
５４  ランナ                          ５６  ストレートランナ部
５８  リングランナ部                  ６４，９８  コアピン
７４  ゲート                          ７６  連通孔
９１  内周面                          １０６  外周面
１０８  突出部
【図１】
0005909465.tif 000002
【図２】
0005909465.tif 000003
【図３】
0005909465.tif 000004
【図４】
0005909465.tif 000005
【図５】
0005909465.tif 000006
【図６】
0005909465.tif 000007
【図７】
0005909465.tif 000008
【図８】
0005909465.tif 000009
【図９】
0005909465.tif 000010
【図１０】
0005909465.tif 000011
【図１１】
0005909465.tif 000012
【図１２】
0005909465.tif 000013
【図１３】
0005909465.tif 000014
【図１４】
0005909465.tif 000015
【図１５】
0005909465.tif 000016
【図１６】
0005909465.tif 000017